【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
第１のインバータの、第１の複数のスイッチレッグの、少なくとも１つと、第２のインバータの、第２の複数のスイッチレッグの、少なくとも１つとの間に電気的に接続されたプラグイン電源、及び
前記第１のインバータ及び前記第２のインバータに動作可能に結合されたコントローラ、
を備えた電荷転送システムであって、
前記コントローラが、前記プラグイン電源から、第１のモータの、第１の複数の固定子巻線の少なくとも１つ、又は第２のモータの、第２の複数の固定子巻線の少なくとも１つを介して、電流が流れてオンボード車両電源が充電されるように、前記第１のインバータの、前記第１の複数のスイッチレッグの少なくとも１つ、又は前記第２のインバータの、前記第２の複数のスイッチレッグの少なくとも１つを選択的に変調し、
前記コントローラが、前記プラグイン電源に直接接続されていない、前記第１のインバータの前記複数のスイッチレッグ、及び前記プラグイン電源に直接接続されていない、前記第２のインバータの前記複数のスイッチレッグを更に選択的に変調して、前記プラグイン電源と前記オンボード車両電源との間のコモンモードノイズを低減することを特徴とするシステム。
【請求項２】
前記コントローラが、第１のプラグイン電源電圧極性の間、前記オンボード車両電源を充電するための、前記第１のモータの、前記第１の複数の固定子巻線の前記少なくとも１つと、第２のプラグイン電源電圧極性の間、前記オンボード車両電源を充電するための、前記第２のモータの、前記第２の複数の固定子巻線の前記少なくとも１つとの間で、電流フローが交互に繰り返されるように、前記スイッチレッグを選択的に変調することを特徴とする、請求項１記載の電荷転送システム。
【請求項３】
前記選択的変調によって、前記第１のモータ及び前記第２のモータに、一方向の励磁電流が生成され、静止ゼロトルク回転子角度が生じることを特徴とする、請求項２記載の電荷転送システム。
【請求項４】
前記コントローラが、前記スイッチレッグの変調をインターリーブして、前記プラグイン電源の電流リップルを低減することを特徴とする、請求項１記載の電荷転送システム。
【請求項５】
前記第１のインバータの、前記第１の複数のスイッチレッグの少なくとも１つ、及び／又は前記第２のインバータの、前記第２の複数のスイッチレッグの少なくとも１つの選択的変調によって、力率１がもたらされることを特徴とする、請求項１記載の電荷転送システム。
【請求項６】
前記第１のインバータの、前記第１の複数のスイッチレッグの少なくとも１つ、及び／又は前記第２のインバータの、前記第２の複数のスイッチレッグの少なくとも１つの選択的変調が、１０〜２０キロヘルツの周波数範囲において生じることを特徴とする、請求項１記載の電荷転送システム。
【請求項７】
前記プラグイン電源が、電磁妨害フィルターを更に備えたことを特徴とする、請求項１記載の電荷転送システム。
【請求項８】
前記第１のモータ及び前記第２のモータが、永久磁石同期モータであることを特徴とする、請求項１記載の電荷転送システム。
【請求項９】
前記第１のモータ及び前記第２のモータが、ＡＣ誘導モータであることを特徴とする、請求項１記載の電荷転送システム。
【請求項１０】
前記第１のモータ及び前記第２のモータが、スイッチトリラクタンスモータであることを特徴とする、請求項１記載の電荷転送システム。
【請求項１１】
前記第１のモータの、前記第１の複数の固定子巻線、及び前記第２のモータの、前記第２の複数の固定子巻線が、スター結線の構成を成すことを特徴とする、請求項１記載の電荷転送システム。
【請求項１２】
前記コントローラが、前記第１のモータの、前記複数の固定子巻線の少なくとも１つ、又は前記第２のモータの、前記複数の固定子巻線の少なくとも１つを介して、前記プラグイン電源に電流が流れて、前記オンボード車両電源が放電されるように、前記第１のインバータの、前記複数のスイッチレッグの少なくとも１つ、及び前記第２のインバータの、前記複数のスイッチレッグの少なくとも１つを選択的に変調することを特徴とする、請求項１記載の電荷転送システム。
【請求項１３】
前記コントローラが、前記第１のインバータの、前記第１の複数のスイッチレッグの少なくとも１つ、及び前記第２のインバータの、前記第２の複数のスイッチレッグの少なくとも１つを、選択的に変調することを特徴とする、請求項１記載の電荷転送システム。
【請求項１４】
プラグイン電源、第１のインバータの第１の複数のスイッチレッグ、第２のインバータの第２の複数のスイッチレッグ、第１のモータの第１の複数の固定子巻線、第２のモータの第２の複数の固定子巻線、及びオンボード車両電源を含む電荷転送システムであって、
前記電荷転送システムが、前記第１のインバータ、及び前記第２のインバータに動作可能に結合されたコントローラを有してなり、
前記コントローラが、前記第１のモータの、前記第１の複数の固定子巻線の少なくとも１つ、又は前記第２のモータの、前記第２の複数の固定子巻線の少なくとも１つを介して、前記プラグイン電源から電流が流れて前記オンボード車両電源が充電されるように、前記第１のインバータの、前記第１の複数のスイッチレッグの少なくとも１つ、又は前記第２のインバータの、前記第２の複数のスイッチレッグの少なくとも１つを、選択的に変調し、
前記コントローラが、前記プラグイン電源に直接接続されていない、前記第１のインバータの前記複数のスイッチレッグ、及び前記プラグイン電源に直接接続されていない、前記第２のインバータの前記複数のスイッチレッグを更に選択的に変調して、前記プラグイン電源とオンボード車両電源との間のコモンモードノイズを低減し、
前記プラグイン電源が、前記第１のインバータの、前記第１の複数のスイッチレッグの少なくとも１つと、前記第２のインバータの、前記第２の複数のスイッチレッグの少なくとも１つとの間に、電気的に接続されていること、
を特徴とする電荷転送システム。
【請求項１５】
前記コントローラが、第１のプラグイン電源電圧極性の間、前記オンボード車両電源を充電するための、前記第１のモータの、前記第１の複数の固定子巻線の前記少なくとも１つと、第２のプラグイン電源電圧極性の間、前記オンボード車両電源を充電するための、前記第２のモータの、前記第２の複数の固定子巻線の前記少なくとも１つとの間で、電流フローが交互に繰り返されるように、前記スイッチレッグを選択的に変調することを特徴とする、請求項１４記載の電荷転送システム。
【請求項１６】
プラグイン電源、第１のインバータの、第１の複数のスイッチレッグ、第２のインバータの、第２の複数のスイッチレッグ、第１のモータの、第１の複数の固定子巻線、第２のモータの、第２の複数の固定子巻線、及びオンボード車両電源と協働して、コントローラにより実行される命令が記録された、非一時的なコンピュータ可読記録媒体であって、
前記命令が前記コントローラにより実行されると、
前記プラグイン電源から、前記第１のモータの、前記第１の複数の固定子巻線の少なくとも１つ、又は前記第２のモータの、前記第２の複数の固定子巻線の少なくとも１つを介して、電流が流れて前記オンボード車両電源が充電されるように、前記第１のインバータの、前記第１の複数のスイッチレッグの少なくとも１つ、又は前記第２のインバータの、前記第２の複数のスイッチレッグの少なくとも１つを、選択的に変調するステップが実行され、
前記コントローラは、前記第１のインバータ及び前記第２のインバータに動作可能に結合され、
前記プラグイン電源が、前記第１のインバータの、前記第１の複数のスイッチレッグの少なくとも１つと、前記第２のインバータの、前記第２の複数のスイッチレッグの少なくとも１つとの間に、電気的に接続され、かつ、
前記コントローラが、前記プラグイン電源に直接接続されていない、前記第１のインバータの前記複数のスイッチレッグ、及び、前記プラグイン電源に直接接続されていない、前記第２のインバータの前記複数のスイッチレッグを更に選択的に変調して、前記プラグイン電源とオンボード車両電源との間のコモンモードノイズを低減することを特徴とする、非一時的なコンピュータ可読記録媒体。